(57)【要約】      （修正有）【課題】安価で容易に着脱することができ、タブレットＰＣへの衝撃から効果的に保護できる保護具になるタブレットＰＣホルダーを提供する。【解決手段】本体部６と、緩衝材１と、ベルト部材７と、取っ手部４と、首下げ部材５とを有し、四隅に緩衝材１をもつことで、タブレットＰＣの保護をする。ここで、タブレットＰＣの背面側に配設される本体部からタブレットＰＣの四隅に向けて放射状に配設され且つ伸縮自在なベルト部材７を設けることで緩衝部材を本体部に向けて引っ張って保持することが可能になり、確実にタブレットＰＣを保持することができる。【選択図】図１
0003176041.tif 000002
【実用新案登録請求の範囲】
【請求項１】
略方形板状の外形をもつタブレットＰＣを保護するホルダーであって、
前記タブレットＰＣの四隅にある角部に当接・係合する窪み部をもち且つ少なくともその当接する部分が発泡材料又は弾性材料から構成される緩衝材と、
前記タブレットＰＣの背面側に配設される板状の本体部と、
前記本体部とそれぞれの前記緩衝材との間を伸縮自在に連結するベルト部材と、
を有するタブレットＰＣホルダー
【請求項２】
前記本体部は前記タブレットＰＣの背面に当接側の反対側にループを形成したベルトからなる取っ手部が着脱可能に配設される請求項１に記載のタブレットＰＣホルダー。
【請求項３】
前記緩衝材のうちの２つ以上の間を連結するベルトからなる首下げ部材を有し、
その首下げ部材は、首に提げたときに上方に位置する前記緩衝材との間で上下方向に相対移動可能で且つ前記タブレットＰＣの厚み方向に相対移動が制限されるように係止、下方に位置する緩衝材に固定される請求項１又２に記載のタブレットＰＣホルダー。
【考案の詳細な説明】
【技術分野】
【０００１】本考案はタブレットＰＣを衝撃から保護するタブレットＰＣホルダーに関する。
【背景技術】
【０００２】  タブレットＰＣはその高機能性と多種多様なアプリケーションによる利便性から、家庭や企業などで幅広く使用されている。しかしこのタブレットＰＣは精密機器であるため、取り扱い方法によっては（例えば落下させるなど：胸の高さ（１２０ｃｍ程度）から落下した場合でも破損する危険がある。）、容易に破損することが危惧される。【０００３】  タブレットＰＣを保護することを目的とした保護具は市販されているが、その多くはタブレットＰＣ全体を覆う形状であるため、高価であり、着脱が困難な場合があった。
【考案の開示】
【考案が解決しようとする課題】
【０００４】  本考案は上記実情に鑑みて成されたものであり、安価で容易に着脱することができ、更にはタブレットＰＣへの衝撃から効果的に保護できる保護具になるタブレットＰＣホルダーを提供することを解決すべき課題とする。
【課題を解決するための手段】
【０００５】（１）上記課題を解決するタブレットＰＣホルダーは、略方形板状の外形をもつタブレットＰＣを保護するホルダーであって、
前記タブレットＰＣの四隅にある角部に当接・係合する窪み部をもち且つ少なくともその当接する部分が発泡材料又は弾性材料から構成される緩衝材と、
前記タブレットＰＣの背面側に配設される板状の本体部と、
前記本体部とそれぞれの前記緩衝材との間を伸縮自在に連結するベルト部材と、
を有することを特徴とする。【０００６】  タブレットＰＣのうち外部からの衝撃を受けやすく、破損しやすい部分としては四隅の部分が挙げられる。そこで、本考案では、タブレットＰＣホルダーの四隅に緩衝材をもつことで、タブレットＰＣの保護をする。ここで、タブレットＰＣの背面側に配設される本体部からタブレットＰＣの四隅に向けて放射状に配設され且つ伸縮自在なベルト部材を設けることで緩衝部材を本体部に向けて引っ張って保持することが可能になり、確実にタブレットＰＣを保持することができる。ここで、構成の簡易化のためには緩衝材はタブレットＰＣの四隅にのみに持つことが望ましい。【０００７】  このタブレットＰＣホルダーは以下に示す（２）及び（３）の構成のうちの少なくとも一方を組み合わせることができる。
（２）前記本体部は前記タブレットＰＣの背面に当接側の反対側にループを形成したベルトからなる取っ手部が着脱可能に配設される。
（３）前記緩衝材のうちの２つ以上の間を連結するベルトからなる首下げ部材を有し、
その首下げ部材は、首に提げたときに上方に位置する前記緩衝材との間で上下方向に相対移動可能で且つ前記タブレットＰＣの厚み方向に相対移動が制限されるように係止、下方に位置する緩衝材に固定される。
【考案の効果】
【０００８】  上記（１）に記載のタブレットＰＣホルダーは上記構成を有するため、壊れやすい部分である四隅を優先的に保護するためタブレットＰＣを効果的に保護することができる。そして、全体を覆う形態ではないため、着脱が容易で、且つ、構成を簡易化することができる。【０００９】  上記（２）に記載のタブレットＰＣホルダーは上記構成を有するため、取っ手部を設けることにより、片手での保持が可能なため、操作性に優れ、また保持したまま移動しやすい。【００１０】  上記（３）に記載のタブレットＰＣホルダーは上記構成を有するため、首から提げることが可能なため、作業性に優れ、また保持したまま移動しやすい。
【図面の簡単な説明】
【図１】本実施例のタブレットＰＣホルダーの使用形態をタブレットＰＣの裏面側からみた模式図である。
【図２】本実施例のタブレットＰＣホルダーの使用形態をタブレットＰＣの表面側からみた模式図である。
【実施例】
【００１１】  以下、本考案のタブレットＰＣホルダーを、図面を参考にしながら説明する。本実施形態のタブレットＰＣホルダーはタブレットＰＣ８を保護するものである（図１及び２）。
【実施例１】
【００１２】  実施例１のタブレットＰＣホルダーは、本体部６と、緩衝材（１〜３）と、ベルト部材７と、取っ手部４と、首下げ部材５とを有する。【００１３】  緩衝材（１〜３）は発泡ウレタンから形成される緩衝材本体１とその緩衝材本体１をタブレットＰＣの厚み方向両面（表側がベルト部材２で、裏側がベルト部材３）から挟持するプラスチック製のベルト通し部２、３とから構成される。緩衝材本体１は厚み方向に複数の孔が穿たれている。ベルト通し部２には、その孔の位置に対応する位置に固定ピン（図略）が延設されており、ベルト通し部２の固定ピンをその孔内に配設することで、緩衝材本体１とベルト通し部２、３との間を固定している。【００１４】  本体部６は板状の部材であり、その形状はタブレットＰＣの背面に配設したときに拡がり方向にはみ出さず、且つ、タブレットＰＣの機能を制限しないようになっている（例えば、タブレットＰＣにカメラがあるときにはそのカメラを塞いだりしないように、また、操作用のボタンなどがある場合にはその部分を覆わないようしている）。本体部６にはタブレットＰＣの背面に配設したときに、その四隅方向に向けてベルト部材７を固定することができる並設されたスリットが設けられている。【００１５】  ベルト状部材７はベルト通し部２と本体部６との間を連結するように配設され、緩衝材本体１がタブレットＰＣ８の四隅に密着するようにその長さを調節することができる。【００１６】  取っ手部４は本体部６にループを形成するように配設され、そのループの長さを調節することができる。ループには使用者の手などが挿入されるため、手の大きさに応じて調節できるようになっている。
首下げ部材５は４つある緩衝材（１，２）のうちタブレットＰＣをぶら下げたときに下側に位置する２つに両端部がそれぞれ固定されている。そしてそれぞれ固定された２つの緩衝材の上に位置する緩衝材（１，２）に設けられたスリットを通している。このような構成を採用することで下方に位置する２つの緩衝材（１，２）はタブレットＰＣ８に密着する方向に付勢されることになり、上側にある２つの緩衝材（１，２）に連結した場合（その場合はタブレットＰＣから引きはがす方向に付勢される）に比べ安定的にタブレットＰＣ８を保持することができる。
【符号の説明】
【００１７】  １：緩衝材本体、２、３：ベルト通し部、４：取っ手部、５：首下げ部材、６：本体部、７：ベルト部材、８：タブレットＰＣ
【図１】
0003176041.tif 000003
【図２】
0003176041.tif 000004